(57)【特許請求の範囲】
【請求項１】
第１医療機器と第２医療機器を備えた医療機器通信システムであって、
前記第１医療機器は、前記第２医療機器との通信接続を確立して通信を行う第１通信手段と、前記第１医療機器の制御を行う第１制御手段と、前記第１制御手段の制御に基づいて音の出力を行う第１音出力手段と、を備え、
前記第２医療機器は、前記第１医療機器との通信接続を確立して通信を行う第２通信手段と、前記第２医療機器の制御を行う第２制御手段と、前記第２制御手段の制御に基づいて前記第１音出力手段とは異なる音の報知を行う第２音出力手段と、を備え、
前記第２制御手段は、前記第１及び前記第２通信手段による通信接続の確立後の所定のタイミングに、前記第２音出力手段からの音の出力の停止やボリュームダウンを含む制御を行い、
前記第１制御手段は、前記所定のタイミング後に前記第１音出力手段からの音の出力を継続する、医療機器通信システム。
【請求項２】
前記第２医療機器は、視覚的な報知を行う第２表示手段を備える、
ことを特徴とする請求項１に記載の医療機器通信システム。
【請求項３】
前記第１医療機器と前記第２医療機器は、時間情報を同期させている、ことを特徴とする請求項２に記載の医療機器通信システム。
【請求項４】
前記第１通信手段は、前記第１音出力手段が報知する理想的な胸骨圧迫のペースを示す胸骨圧迫タイミング情報を前記第２通信手段に通知し、
前記第２制御手段は、前記第２通信手段に通知された前記胸骨圧迫タイミング情報に基づいて前記第２表示手段が視覚的報知を行うように制御する、
ことを特徴とする請求項３に記載の医療機器通信システム。
【請求項５】
前記第１通信手段は、所定の治療行為を行うタイミングを示す治療タイミング情報を前記第２通信手段に通知し、
前記第２制御手段は、前記第２通信手段に通知された前記治療タイミング情報に基づいて、前記第１医療機器が治療行為を行っている間には前記第２表示手段が視覚的報知を行わないように制御する、
ことを特徴とする請求項３または請求項４に記載の医療機器通信システム
【請求項６】
前記第１通信手段は、前記第１医療機器が前記所定の治療行為を行った後に治療終了情報を前記第２通信手段に通知し、
前記第２制御手段は、前記第２通信手段に通知された前記治療終了情報に基づいて、前記第２表示手段による視覚的報知を再開するように制御する、
ことを特徴とする請求項５に記載の医療機器通信システム。
【請求項７】
前記第１制御手段は、前記所定の治療行為により救助対象者の状態が改善したか否かを判定し、
前記第１通信手段は、前記第１制御手段が前記救助対象者の状態が改善したと判定した場合に、表示処理の停止要求を前記第２通信手段に送信し、
前記第２制御手段は、前記第２通信手段に通知された前記停止要求に応じて、前記第２表示手段による視覚的報知を停止するように制御する、
ことを特徴とする請求項５または請求項６に記載の医療機器通信システム。
【請求項８】
前記第１医療機器は、救助対象者に対して電気的な刺激を与える除細動器であり、
前記第２医療機器は、前記救助対象者の胸部と救助者の手の間に配置されて胸骨圧迫を補助するＣＰＲ（Cardio Pulmonary Resuscitation：心肺蘇生法）補助装置である、
ことを特徴とする請求項１〜請求項７のいずれか１項に記載の医療機器通信システム。
【請求項９】
音の出力を行う他医療機器と通信して動作する医療機器であって、
前記他医療機器との通信接続を確立して通信を行う通信手段と、自装置の制御を行う制御手段と、前記制御手段の制御に基づいて前記他医療機器とは異なる音の出力を行う音出力手段と、を備え、
前記制御手段は、前記他医療機器との通信接続の確立をし、前記他医療機器が音を出力する際に、前記音出力手段からの音の出力の停止やボリュームダウンを含む制御を行う、医療機器。
【請求項１０】
音の出力を行う他医療機器と通信して動作する医療機器であって、
前記他医療機器との通信接続を確立して通信を行う通信手段と、自装置の制御を行う制御手段と、前記他医療機器とは異なる音の出力を行う音出力手段と、を備え、
前記制御手段は、前記通信手段が前記他医療機器との通信接続を確立した後に、前記他医療機器が音出力の停止やボリュームダウンを含む制御をしている場合に、前記音出力手段からの音の出力を可能に制御する、医療機器。
【発明の詳細な説明】
【技術分野】
【０００１】
本発明は医療機器通信システム、及び医療機器に関する。
【背景技術】
【０００２】
ＣＰＲ（Cardio Pulmonary Resuscitation：心肺蘇生法）は、救急医療では必須の手技であり、その適否が救助対象者（患者）の生死にかかわっている。ＣＰＲを行う場合、救助者は胸部の上の胸骨を圧迫する。ＣＰＲは救助対象者の生死に関わるため、救助対象者の胸部と救助者の手の間に配置されて胸骨圧迫を補助する装置（以下、ＣＰＲ補助装置と呼称する。）が開発されている。ＣＰＲ補助装置は、胸骨に適切な時間間隔で適切な力が加わっているかを検知し、検知に応じて救助者に対して適切な報知（「圧迫の深さが十分ではない。」、「圧迫のタイミングが遅すぎる。」等）を行う。
【先行技術文献】
【特許文献】
【０００３】
【特許文献１】特表２０１３−５４２８１４号公報
【特許文献２】特開２０１０−５２８７２２号公報
【特許文献３】国際公開第２０１２／０７３９００号
【発明の概要】
【発明が解決しようとする課題】
【０００４】
上述のＣＰＲ補助装置は、ＡＥＤ（Automated External Defibrillator）や除細動器をはじめとする他の医療機器と同時に使用する機会が多い。ＣＰＲ補助装置と医療機器が相互に協調して動作することにより、適切な救助処置を実現することができる。
【０００５】
例えば特許文献１には、複数の除細動間の通信に関する技術が開示されている。同様に特許文献２には、ＣＰＲ補助装置と除細動器との間の通信に関する技術が開示されている。
【０００６】
医療の現場や医療訓練の場面では、多くの医療機器が同時に使用されることが想定される。例えば大規模災害（例えばビル火災等）が生じた場合、多くのＣＰＲ補助装置やＡＥＤ（または除細動器）が同時に使用されるケースが想定される。また心肺蘇生法の講習会等では、多くのＣＰＲ補助装置やＡＥＤ（または除細動器）が同時に使用される。
【０００７】
このような環境下で医療機器間（例えばＣＰＲ補助装置とＡＥＤ）が通信して動作する場合、各医療機器から出力される音声ガイダンスにより救助者が混乱してしまうケースがある。
【０００８】
なお、この音ガイダンスの混在の問題は、ＣＰＲ補助装置とＡＥＤが連携して動作する場合だけではなく、様々な種類の医療機器が連携して動作する場合に生じる共通のものである。
【０００９】
本発明は上述の課題に鑑みてなされたものであり、複数の医療機器が同時に使用される場合であってもユーザ（救助者）が混乱することなく救助処置を行うことができる医療機器通信システム、及び医療機器を提供することを主たる目的とする。
【課題を解決するための手段】
【００１０】
本発明にかかる医療機器通信システムの一態様は、
第１医療機器と第２医療機器を備えた医療機器通信システムであって、
前記第１医療機器は、前記第２医療機器との通信接続を確立して通信を行う第１通信手段と、前記第１医療機器の制御を行う第１制御手段と、を備え、
前記第２医療機器は、前記第１医療機器との通信接続を確立して通信を行う第２通信手段と、前記第２医療機器の制御を行う第２制御手段と、前記第２制御手段の制御に基づいて音報知を行う第２音出力手段と、を備え、
前記第２制御手段は、前記第１及び前記第２通信手段による通信接続の確立後の所定のタイミングに、前記第２音出力手段の音出力を制御する、ものである。
【００１１】
上述の構成では、第１通信手段と第２通信手段との間で通信接続を確立した後には、第２医療機器からの音出力を制御する。これにより、音出力による混乱を回避することができる。
【発明の効果】
【００１２】
本発明は、複数の医療機器が同時に使用される場合であってもユーザ（救助者）が混乱することなく救助処置を行うことができる医療機器通信システム、及び医療機器を提供することができる。
【図面の簡単な説明】
【００１３】
【図１】実施の形態１にかかる医療機器通信システム１のブロック図である。
【図２】実施の形態１にかかる除細動器１０とＣＰＲ補助装置２０の処理フローを示す図である。
【図３】実施の形態１にかかる除細動器１０とＣＰＲ補助装置２０の処理フローを示す図である。
【発明を実施するための形態】
【００１４】
＜実施の形態１＞
以下、図面を参照して本発明の実施の形態について説明する。図１は本実施の形態にかかる医療機器通信システム１の構成を示すブロック図である。医療機器通信システム１は、除細動器１０及びＣＰＲ（Cardio Pulmonary Resuscitation：心肺蘇生法）補助装置２０を有する。なお除細動器１０及びＣＰＲ補助装置２０は、医療機器の例示である。除細動器１０及びＣＰＲ補助装置２０は、双方向的にデータ通信を行う装置である。
【００１５】
除細動器１０は、通信手段１１、制御手段１２、音出力手段１３、及び表示手段１４を有する。ＣＰＲ補助装置２０は、通信手段２１、制御手段２２、音出力手段２３、及び表示手段２４を備える。なお除細動器１０は、図示しない入力手段（例えば筐体表面に設けられた各種のボタンやツマミ）や記憶手段（各種のプログラムや音データを格納する二次記憶装置）等も有する。同様にＣＰＲ補助装置２０は、記憶手段（各種のプログラムや音データを格納する二次記憶装置）等も有する。また除細動器１０は、救助対象者の生体に接触する電極や充電を行うコンデンサ等も備えている。
【００１６】
はじめに除細動器１０の各処理部の動作について説明する。通信手段１１は、他の医療機器（この場合にはＣＰＲ補助装置２０）との通信接続を確立し、通信接続を確立した装置間でのデータの送受信を行う。通信手段１１は、例えばＢｌｕｅｔｏｏｔｈ（登録商標）等の近距離通信技術を実装した通信インターフェイスであれば良い。
【００１７】
制御手段１２は、除細動器１０の各種の動作制御を行う。制御手段１２は、ＣＰＵ（Central Processing Unit）及び各種の回路（Ａ／Ｄコンバータ等）によって実現される。制御手段１２は、救助対象者に電気ショックを与えるためのエネルギー充電／放電の制御、表示手段１４の表示制御等を行う。これに加えて制御手段１２は、音出力手段１３からの音出力制御を行う。以下の説明において「音」とは、所謂音声ガイダンスに加えてビープ音等も含む概念である。当該音出力制御の詳細については、図２及び図３を参照して後述する。
【００１８】
音出力手段１３は、例えばスピーカーであり、除細動器１０の動作に応じて任意音を出力する。例えば音出力手段１３は、除細動器１０の動作に応じて「充電中です。」、「離れてください。」、「胸骨圧迫を再開してください。」といった音を出力する。また音出力手段１３は、胸骨圧迫を行うべき場合に、胸骨圧迫の理想的なペース音を出力する。
【００１９】
表示手段１４は、制御手段１２の制御に応じて、除細動器１０の動作状態やユーザに対する操作指示等を表示する（視覚的な報知を行う）。表示手段１４は、例えば液晶ディスプレイ（ＬＣＤ）及び当該ディスプレイを制御する各種の回路等から構成される。
【００２０】
続いてＣＰＲ補助装置２０について説明する。ＣＰＲ補助装置２０は、救助対象者の胸部（好適には胸骨の直上）と救助者の手の間に配置されて胸骨圧迫を補助する装置である。なお救助対象者とは、人間の傷病者（または患者とも表現される。）に加えてマネキン等も含む概念である。すなわちＣＰＲ補助装置２０は、実際の心肺蘇生の場面で用いられてもよく、心肺蘇生のトレーニング時に用いられてもよい。ＣＰＲ補助装置２０は、内部に図示しないセンサを有する。当該センサは、押圧された場合と押圧解放された場合に生じる変位を検出して制御手段２２に供給する。
【００２１】
通信手段２１は、他の医療機器（この場合には除細動器１０）との通信接続を確立し、通信接続を確立した装置間でのデータの送受信を行う。通信手段２１は、通信手段１１と同様に、例えばＢｌｕｅｔｏｏｔｈ（登録商標）等の近距離通信技術を実装した通信インターフェイスであれば良い。通信手段２１と通信手段１１の通信接続の確立は、例えばＢｌｕｅｔｏｏｔｈ（登録商標）のペアリングによって実現すればよい。また通信手段２１と通信手段１１は、通信接続を確立した後にお互いの時刻情報を同期させる。同期手法は、任意の手法を用いればよい。
【００２２】
制御手段２２は、ＣＰＲ補助装置２０の全体的な制御を行う。制御手段２２は、ＣＰＵ（Central Processing Unit）及び各種の回路によって実現される。制御手段２２には、胸骨圧迫の実行時に上述のセンサから変位が入力される。
【００２３】
制御手段２２は、上述のセンサが検出した変位に基づいて救助対象者に与えられた胸骨圧迫の圧迫深度や圧迫速度を検出する。また制御手段２２は、記憶手段（図示せず）に格納された理想的な圧迫深度や圧迫速度を読み出す。そして制御手段２２は、読み出した圧迫深度と、現在行われている圧迫深度と、を比較して現在の圧迫深度が適切であるかを判定する。同様に制御手段２２は、読み出した圧迫速度と、現在行われている圧迫速度と、を比較して現在の圧迫速度が適切であるかを判定する。
【００２４】
なお制御手段２２による胸骨圧迫の圧迫深度及び圧迫速度の検出や判定手法は、例えば特許文献３に記載の手法と同等であればよい。
【００２５】
制御手段２２は、圧迫速度や圧迫深度が適切であるか否かを、音出力手段２３を介して報知する。しかしながら制御手段２２は、除細動器１０との通信接続が確立した後には音出力手段２３からの音出力が除細動器１０の状態に応じて停止されるように制御する。この音出力制御については、図２及び図３を参照して後述する。
【００２６】
音出力手段２３は、制御手段２２からの制御に応じてガイダンス音を出力する。例えば音出力手段２３は、ＣＰＲ補助装置２０を用いた胸骨圧迫に応じて「もっと強く押してください。」、「もっと弱く押してください。」、「もっとゆっくり押してください。」、「もっと速く押してください。」といったガイダンス音を出力する。しかしながら音出力手段２３は、前述のように除細動器１０との通信接続が確立した後には、除細動器１０の状態に応じて音出力を停止する。詳細は図２及び図３を参照して後述する。
【００２７】
表示手段２４は、制御手段２２からの制御に応じて、ＣＰＲ補助装置２０のユーザに対するインストラクション等を視覚的に伝える（視覚的な報知を行う）。表示手段２４は、例えばランプや小型液晶ディスプレイと、当該ランプ等を制御する回路等と、から構成される。例えば表示手段２４は、最も理想的な胸骨圧迫のペースに合わせてランプを点滅させる。表示手段２４による表示は、除細動器１０との通信接続の確立後には特殊な制御が行われる。当該制御は、図２及び図３を参照して後述する。
【００２８】
図２を参照して除細動器１０とＣＰＲ補助装置２０の音及び表示制御を説明する。除細動器１０内の通信手段１１とＣＰＲ補助装置２０内の通信手段２１は、通信接続を確立し、時刻情報の同期を行う（Ｓ１１）。通信接続が確立した後にＣＰＲ補助装置２０内の制御手段２２は、音出力手段２３からのガイダンス音の出力を除細動器１０の状態に応じて停止する（Ｓ１２）。例えば除細動器１０が電極を介して救助対象者と接続されている状態や実際に心電図解析を開始している状態、等である場合にはＣＰＲ補助装置２０の出力音を停止する。なお、ＣＰＲ補助装置２０の音を停止すべきタイミング（除細動器１０の所定状態）を、救助者が適宜定義できるようになっていてもよい。以下の説明では、Ｓ１２の時点において除細動器１０と救助対象者が電極を介して接続されているため、音出力手段２３からの音出力が停止されるものとする。除細動器１０内の制御手段１２は、音出力手段２３からの出力音が停止している間に音出力手段１３が引き続き音の出力が可能な状態に制御する。これにより音出力手段１３は、引き続きガイダンス音（理想的な胸骨圧迫のペースを示す音）の出力を行う。
【００２９】
除細動器１０内の通信手段１１は、ＣＰＲ補助装置２０に対して理想的な胸骨圧迫のペースを示す胸骨圧迫タイミング情報を通知する（Ｓ１３）。胸骨圧迫タイミング情報とは、例えば「２０１４年４月１４日１３：ＸＸ：ＹＹからＺ秒毎に胸骨圧迫のペース音を出力する。」といった情報を含む。なお胸骨圧迫タイミング情報は当該フォーマットに限られず、どのタイミングで除細動器１０から音出力が行われているかを把握できるものであればよい。この胸骨圧迫タイミング情報に従って、ＣＰＲ補助装置２０内の制御手段２２は、表示手段２４の表示制御を行う（Ｓ１４）。例えば理想的な胸骨圧迫ペース情報に従って表示手段２４はランプを点滅させる。
【００３０】
除細動器１０内の制御手段１２は、救助対象者の心電図解析等を行う。制御手段１２が除細動を行うと判定した場合、通信手段１１は治療タイミング情報をＣＰＲ補助装置２０に通知する（Ｓ１５）。
【００３１】
ＣＰＲ補助装置２０内の通信手段２１は、治療タイミング情報を受信する（Ｓ１５）。治療タイミング情報とは、治療行為（本例では除細動）を行うタイミングを示す情報である。治療タイミング情報は、胸骨圧迫タイミング情報と略同様のフォーマットを持つ情報であり、例えば「２０１４年４月１４日１３：ＹＹ：ＺＺから除細動のための心電図解析を行う」といった情報である。これに応じて制御手段２２は、表示手段２４からの表示（視覚的報知）を中断する（Ｓ１６）。例えば制御手段２２は、表示手段２４によるランプの点滅を中断する。
【００３２】
除細動器１０内の制御手段１２は、除細動を行う。除細動を行った後に、除細動器１０内の通信手段１１は、治療終了情報をＣＰＲ補助装置２０に送信する（Ｓ１７）。なお当該治療終了情報（Ｓ１７）は、単に除細動を行ったことを伝えるものだけではなく、胸骨圧迫のタイミング（「２０１４年４月１４日１３：ＸＸ：ＹＹからＺ秒毎に胸骨圧迫のペース音を出力する。」）も合わせて通知するものである。これに応じてＣＰＲ補助装置２０内の制御手段２２は、表示手段２４の表示を再開する（Ｓ１８）。
【００３３】
続いて図３を参照して、除細動器１０とＣＰＲ補助装置２０の音出力及び表示の具体例を説明する。図３において、図２と同様の符号が付されている処理は図２と同様のものとする。
【００３４】
除細動器１０内の通信手段１１は、理想的な胸骨圧迫のペースを示す胸骨圧迫タイミング情報をＣＰＲ補助装置２０に通知する（Ｓ１３）。除細動器１０内の制御手段１２は、音出力手段１３に理想的な胸骨圧迫のペース音を出力させる。例えば音出力手段１３は、「ピッ」「ピッ」「ピッ」といった音を出力する。
【００３５】
ＣＰＲ補助装置２０内の通信手段２１は、胸骨圧迫タイミング情報を受信する（Ｓ１３）。そして制御手段２２は、この胸骨圧迫タイミング情報に基づいて表示手段２４が表示を行うように制御する。ここで除細動器１０とＣＰＲ補助装置２０は時刻同期がなされている。制御手段２２は、除細動器１０の音の出力タイミングと同期するように、胸骨圧迫タイミング情報に従って表示手段２４の表示タイミングを調整する。例えば除細動器１０が「ピッ」「ピッ」「ピッ」という音を出力するタイミングと、ＣＰＲ補助装置２０の筐体上のランプが光るタイミングと、は略一致する。
【００３６】
除細動器１０の制御手段１２は、救助対象者に対して除細動を行うかを判定するために、救助対象者の心電図を調べる。その際に制御手段１２は、音出力手段１３から「離れてください。」といったようなガイダンス音を出力させる。そして、通信手段１１はＣＰＲ補助装置２０に治療タイミング情報を通知する（Ｓ１５）。
【００３７】
ＣＰＲ補助装置２０内の通信手段２１は、治療タイミング情報を受信する（Ｓ１５）。除細動器１０がこれから心電図を調べるため、制御手段２２は表示手段２４からの表示（例えばランプ点滅）を停止させる（Ｓ１６）。すなわち心電図を調べて治療を行っている場合には、表示手段２４はランプ点滅等の表示を行わない（Ｓ１６）。
【００３８】
除細動器１０は、心電図解析の結果から除細動を行う場合にはエネルギーを充電し、充電後に救助対象者に対して除細動を行う。除細動器１０内の通信手段１１は、除細動を行った後に治療終了情報を送信する（Ｓ１７）。
【００３９】
治療終了情報を送信した後に、除細動器１０内の制御手段１２は、音出力手段１３からの理想的な胸骨圧迫ペースの出力を再開する。例えば音出力手段１３は、「ピッ」「ピッ」「ピッ」という音を出力する
【００４０】
ＣＰＲ補助装置２０内の通信手段２１は、治療終了情報を受信する（Ｓ１７）。その後に制御手段２２は、この治療終了情報に従って表示手段２４の表示を行う。ここで除細動器１０とＣＰＲ補助装置２０は時刻同期がなされているため、除細動器１０の音出力のタイミングとＣＰＲ補助装置２０の表示のタイミングは略一致する。例えば除細動器１０が「ピッ」「ピッ」「ピッ」という音を出力するタイミングと、ＣＰＲ補助装置２０の筐体上のランプが光るタイミングと、は略一致する。
【００４１】
なお図２及び図３の処理フローはあくまでも一例であり、これを変形したものであってもよい。例えば音を停止する処理（Ｓ１２）と胸骨圧迫タイミング情報を通知する処理（Ｓ１３）は順序が逆であってもよく、略同時に実行されてもよい。
【００４２】
続いて本実施の形態にかかる医療機器通信システムの効果について説明する。除細動器１０とＣＰＲ補助装置２０との通信接続を確立した後には、ＣＰＲ補助装置２０からの除細動器１０の状態に応じて音出力が停止する。これにより、ＣＰＲ補助装置２０からの音出力による混乱を避けることができる。
【００４３】
また除細動器１０は、ＣＰＲ補助装置２０の音出力が停止している間も音出力（例えば図３における「ピッ」「ピッ」）を継続している。除細動器１０からのみ音出力がされるため、救助者は混乱することなく、かつ音出力を参照しながら治療（この場合には胸骨圧迫）を行うことができる。従来のように除細動器１０とＣＰＲ補助装置２０が音出力を共に制限することなく動作する場合、除細動器１０が「離れてください。」と出力しているにもかかわらず、ＣＰＲ補助装置２０が「もっと強く胸骨圧迫をしてください。」と出力するといった状態が生じ得る。本実施の形態にかかる医療機器通信システム１は、除細動器１０のみが音出力を行うため、このような状況を回避することができる。
【００４４】
またＣＰＲ補助装置２０は、出力音を停止している間も表示手段２４による表示（胸骨圧迫のペース表示）を継続して行う。これにより救助者は、手元に置かれるＣＰＲ補助装置２０から視覚的に胸骨圧迫の理想的なタイミングを把握することができる。
【００４５】
また除細動器１０による音出力のタイミングと、ＣＰＲ補助装置２０による表示のタイミングと、は同期している（略同時となっている）。例えば図３において除細動器１０による「ピッ」「ピッ」という音出力のタイミングとＣＰＲ補助装置２０の表示点滅タイミングは略同一となる。これにより救助者は、音と表示のガイダンスが混在する状態であっても混乱することなく理想的な胸骨圧迫を行うことができる。
【００４６】
更に除細動器１０が除細動を行う場合、ＣＰＲ補助装置２０は胸骨圧迫を促す表示ガイダンスを停止する（図２、図３のＳ１６）。これにより、除細動が行われるようなタイミングで胸骨圧迫を促す表示ガイダンスを停止することができ、安全に胸骨圧迫を行うことができる。
【００４７】
また除細動器１０による除細動が終了した後に、ＣＰＲ補助装置２０は胸骨圧迫を促す表示ガイダンスを再開する（図２、図３のＳ１７及びＳ１８）。これにより、除細動が終了した後に速やかに適切な胸骨圧迫を行うことができる状態となる。
【００４８】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００４９】
例えば、図２及び図３では除細動を行った後にＣＰＲ補助装置２０は、表示処理を再開するもの（Ｓ１８）として説明したが必ずしもこれに限られない。除細動器１０は、救助対象者の心電図等を参照して正常な心臓動作となった場合（状態が改善したと判定した場合）、ＣＰＲ補助装置２０に対して表示処理を停止するような停止要求を出力してもよい。ＣＰＲ補助装置２０内の制御手段２２は、この停止要求に応じて表示手段２４による表示を停止する。これにより、救助対象者が除細動によって救出されたにも関わらず、胸骨圧迫を促すようなガイダンスが継続するといった状況を回避することができる。
【００５０】
ここで特許請求の範囲における医療機器通信システムの各処理手段等と図１の構成との略対応関係について説明する。第１医療機器は、除細動器１０と略対応する。第２医療機器は、ＣＰＲ補助装置２０と略対応する。第１通信手段は、通信手段１１と略対応する。第１制御手段は、制御手段１２と略対応する。第１音出力手段は、音出力手段１３と略対応する。第２通信手段は、通信手段２１と略対応する。第２制御手段は、制御手段２２と略対応する。第２音出力手段は、音出力手段２３と略対応する。第２表示手段は、表示手段２４と略対応する。
【００５１】
なお上述の説明においてＣＰＲ補助装置２０は、除細動器１０の状態に応じて音出力を停止するものとして説明したが、出力音のボリュームを小さくするようにしても、効果は薄れるものの十分に有用であり、本発明の一例に含まれる。すなわちＣＰＲ補助装置２０は、音出力を制御するものであれば良い。
【００５２】
また上述の説明ではＣＰＲ補助装置２０は、除細動器１０との接続後に、除細動器１０の状態に応じて音を停止（制御）するものとしたが必ずしもこれに限られない。例えばＣＰＲ補助装置２０は、除細動器１０との接続確立のすぐ後（または一定時間後）に音を停止（制御）するようにしてもよい。すなわちＣＰＲ補助装置２０は、除細動器１０との接続後の所定のタイミング（除細動器１０が所定状態になったタイミング、除細動器１０が所定状態となってから一定時間後のタイミング、接続確立後すぐ後のタイミング、接続確立の一定時間後のタイミング等を含む）に、音を停止（制御）するものであればよい。
【００５３】
また音ガイダンスの混在によるユーザの混乱という問題は、他の種類の医療機器同士が連携して動作する場合にも生じ得る。そのため上述の医療機器通信システム１の動作（一方装置の音を停止するという動作）は、他の任意の医療機器が連携して動作するシステムにも応用することができる。用途や医療機器の組み合わせによっては、ＣＰＲ補助装置の音が優先的に出力されるケースも勿論有り得る。
【符号の説明】
【００５４】
１  医療機器通信システム
１０  除細動器
１１、２１  通信手段
１２、２２  制御手段
１３、２３  音出力手段
１４、２４  表示手段
２０  ＣＰＲ（Cardio Pulmonary Resuscitation：心肺蘇生法）補助装置
【図１】
0006342267.tif 000002
【図２】
0006342267.tif 000003
【図３】
0006342267.tif 000004